(57)【要約】【課題】  接続された機器の音声再生能力に合わせて、出力すべき映像仕様とは独立に、音声仕様（音声フォーマット）を設定可能な映像音声再生装置を提供する。【解決手段】  この発明の１つの実施の形態を用いることで、ダウンミックス２ｃｈ、マルチチャンネルＰＣＭ、ビットストリーム、ハイビットレートビットストリーム等のオーディオストリームを出力可能なＨＤＭＩ出力端子２１と、アナログ音声出力２５とデジタル音声出力２７を有し、ＥＤＩＤにより取得した受信側機器（Ａ〜Ｃ，Ｎ）の機器情報（再生可能解像度や出力可能なオーディオ再生能力）に合わせて、受信側機器において再生すべき音声ストリームを選択可能に、表示出力用出力装置（ＯＳＤ）３７を用いて、リストを表示できることを特徴とする映像音声再生装置１が提供される。【選択図】  図１
2008299938.tif 000002
【特許請求の範囲】
【請求項１】
媒体を介して供給される映像及びオーディオ信号を読み出す再生装置と、
この再生装置により読み出された映像及びオーディオ信号をデコードするデコーダーと、
このデコーダーによりデコードされた映像及びオーディオ信号のうちの少なくともオーディオ信号をオーディオ出力として出力可能な受信側機器が接続されていること及び接続されている受信側機器のオーディオ再生能力を検出可能なメディアインターフェースと、
このメディアインターフェースにより検出された受信側機器のオーディオ再生能力に基いて、媒体に収容されているコンテンツよりもクォリティの高いオーディオストリームが存在するか否かをチェックするストリーム検出装置と、
このストリーム検出装置により、媒体に収容されているコンテンツよりもクォリティの高いオーディオストリームが存在することが検出された場合に、媒体に収容されているコンテンツよりもクォリティの高いオーディオストリームが存在することを、受信側機器に表示可能に表示出力を出力する表示出力装置と、
この表示出力装置により受信側機器に表示出力を出力させるために、前記ストリーム検出装置により検出したストリームと前記メディアインターフェースにより取得した受信側機器のオーディオ再生能力とを比較し、表示出力のためのリスト（表示情報）を生成するデータ制御装置と、
を有する映像音声再生装置。
【請求項２】
前記映像音声再生装置は、ネットワークあるいは外部のコンテンツ供給元からオーディオストリームを取得可能な通信装置を含み、
前記ストリーム検出装置は、ネットワーク上あるいは外部のコンテンツ供給元から媒体に収容されているコンテンツよりもクォリティの高いオーディオストリームを検出可能であることを特徴とする請求項１記載の映像音声再生装置。
【請求項３】
前記映像音声再生装置は、媒体に収容されているストリームよりもクォリティの高いストリームが検出された際に、そのストリームを記憶可能な記憶装置を含み、前記通信装置によりネットワーク上あるいは外部のコンテンツ供給元から取得したオーディオストリームを保持可能であることを特徴とする請求項２記載の映像音声再生装置。
【請求項４】
媒体を介して供給される映像及びオーディオ信号を読み出す再生装置と、
この再生装置により読み出された映像及びオーディオ信号をデコードするデコーダーと、
このデコーダーによりデコードされた映像及びオーディオ信号を映像出力及びオーディオ出力として出力可能な受信側機器が接続されていること及び接続されている受信側機器の映像及びオーディオ再生能力を検出可能なメディアインターフェースと、
このメディアインターフェースにより検出された受信側機器の映像及びオーディオ再生能力に基いて、媒体に収容されているコンテンツよりもクォリティの高いストリームが存在するか否かをチェックするストリーム検出装置と、
このストリーム検出装置により、媒体に収容されているコンテンツよりもクォリティの高いストリームが存在することが検出された場合に、媒体に収容されているコンテンツよりもクォリティの高いストリームが存在することを、受信側機器に表示可能に表示出力を出力する表示出力装置と、
この表示出力装置により受信側機器に表示出力を出力させるために、前記ストリーム検出装置により検出したストリームと前記メディアインターフェースにより取得した受信側機器の映像及びオーディオ再生能力とを比較し、表示出力のためのリスト（表示情報）を生成するデータ制御装置と、
を有する映像音声再生装置。
【請求項５】
前記データ制御装置は、媒体に収容されているコンテンツよりもクォリティの高いストリームが存在することが前記ストリーム検出装置により検出された場合に、オーディオ出力を画質に対して優先して選択可能に、表示出力のためのリストを生成することを特徴とする請求項４記載の映像音声再生装置。
【請求項６】
前記データ制御装置は、媒体に収容されているコンテンツよりもクォリティの高いストリームが存在することが前記ストリーム検出装置により検出された場合に、画質を一定の条件で転送可能なレベルを維持可能な音声ストリームを選択可能に、表示出力のためのリストを生成することを特徴とする請求項４記載の映像音声再生装置。
【請求項７】
前記映像音声再生装置は、ネットワークあるいは外部のコンテンツ供給元からオーディオストリームを取得可能な通信装置を含み、
前記ストリーム検出装置は、ネットワーク上あるいは外部のコンテンツ供給元から媒体に収容されているコンテンツよりもクォリティの高いオーディオストリームを検出可能であることを特徴とする請求項５または６記載の映像音声再生装置。
【請求項８】
前記映像音声再生装置は、媒体に収容されているストリームよりもクォリティの高いストリームが検出された際に、そのストリームを記憶可能な記憶装置を含み、前記通信装置によりネットワーク上あるいは外部のコンテンツ供給元から取得したオーディオストリームを保持可能であることを特徴とする請求項７記載の映像音声再生装置。
【請求項９】
ＨＤＭＩ出力端子をもち、ダウンミックス２ｃｈ、マルチチャンネルＰＣＭ、ビットストリーム、ハイビットレートビットストリーム（ＩＥＣ６１９３７で規定され、ＨＤＭＩ１．３で追加されたＤｏｌｂｙ  Ｄｉｇｉｔａｌ  Ｐｌｕｓ、Ｄｏｌｂｙ  ＴｒｕｅＨＤ、ＤＴＳ−ＨＤの少なくとも１つ）を出力可能で、上記ＨＤＭＩの他に、アナログ音声出力とデジタル音声出力端子を有し、ＨＤＭＩ送信側がＨＤＭＩ受信側の機器情報である映像解像度／サンプリングレート／デコーダー有無等を知ることができるＥＤＩＤを取得する手段を持つ映像音声再生装置において、
ＥＤＩＤと、ユーザー初期設定、再生装置のスペック要素を元に音声ストリームを選択し、表示出力用出力装置を用いて、選択可能なリストをリスト表示できることを特徴とする映像音声再生装置。
【発明の詳細な説明】
【技術分野】
【０００１】
この発明は、接続された機器の音声再生能力に合わせて、出力すべき映像仕様とは独立に、音声仕様（音声フォーマット）を設定可能な映像音声再生装置に関する。
【背景技術】
【０００２】
光ディスクを記録媒体として提供される映像及びオーディオ情報を再生可能な装置として、ＤＶＤ規格の光ディスクから映像を再生するプレーヤー装置や、同規格の光ディスクに映像情報を記録可能なレコーダ装置が実用化されて久しい。
【０００３】
今日、ＤＶＤ規格を発展させたＨＤ（Ｈｉｇｈ−Ｄｅｆｉｎｉｔｉｏｎ）  ＤＶＤ規格の光ディスクや、ＨＤ  ＤＶＤ規格と同様に１枚のディスクに多くの映像を高密度に記録可能なＢｌｕ−Ｒａｙ（ブルーレイ）規格の光ディスクも既に実用化され、それぞれ、プレーヤー装置やレコーダ装置が入手可能である。
【０００４】
なお、ＨＤ  ＤＶＤ規格の光ディスクに収容されているコンテンツから映像及び音声を再生可能なプレーヤー装置の多くには、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）に代表される双方向通信インターフェースが搭載されている。
【０００５】
このため、ＨＤＭＩを介して、プレーヤー装置と接続される音響機器や映像音声再生装置すなわちＡＶコントローラー（及びスピーカ）やテレビ受像機が再生可能な音声仕様（音声フォーマット）が、プレーヤー装置側で検出可能である。
【０００６】
反面、ＨＤ  ＤＶＤ規格の光ディスクにおいては、Ｓｔａｎｄａｒｄ  ｃｏｎｔｅｎｔ（スタンダードコンテンツ）規格に加え、スタンダードコンテンツと独立して用意されたＡｄｖａｎｃｅｄ  ｃｏｎｔｅｎｔ（アドバンスドコンテンツ）規格が規定されており、アドバンスドコンテンツ規格に準拠したアドバンスドコンテンツが収容されている映像ソフトも既に入手可能であるが、一部ソフト（コンテンツ）には、音声（オーディオ）の一部に、メインオーディオ／サブオーディオ／エフェクトオーディオの仕様の異なるコンテンツも存在する。
【０００７】
また、ＨＤ  ＤＶＤ規格の光ディスク（一部のＤＶＤ規格の光ディスクを含む）では、光ディスクに収容されているコンテンツの１つに、ネットワークを介してそのコンテンツの供給元へのアクセスを推奨するアドレスあるいはリンク先情報が含まれている。
【０００８】
このため、プレーヤー装置（ディスク再生）装置において光ディスクを再生する場合に、コンテンツ供給元が提供する付加的なコンテンツをネットワークからのダウンロードすることにより、同時に／または並列に再生可能である。
【０００９】
特許文献１には、受信側機器からその受信仕様を示す情報（ＥＤＩＤ（Ｅｘｔｅｎｄｅｄ  Ｄｉｓｐｌａｙ  Ｉｄｅｎｔｉｆｉｃａｔｉｏｎ  Ｄａｔａ））を取得し、取得した受信仕様（ＥＤＩＤ）に対応した形態の映像または音声を含む信号を、情報記録媒体またはネットワーク上に存在するデータサーバーから取得し、取得した信号に所定の信号処理を施して、受信側機器に出力することが示されている。
【特許文献１】特開２００６−２８７３６４
【発明の開示】
【発明が解決しようとする課題】
【００１０】
しかしながら、特許文献１には、ＥＤＩＤにより取得した音声再生条件（受信仕様）に基いて、データサーバー（記録媒体）から音声ストリームを取得することが示されているのみである。
【００１１】
このため、ユーザーには、（保有する）受信側機器の再生能力を把握し、再生環境に適しているであろうと考えられるデータ（音声ストリーム）再生方法を特定することが要求される。
【００１２】
また、受信側機器の再生能力として、複数の再生方法が選択可能である場合、ユーザーが、より好適な再生環境が存在することを見落とす（ユーザーに、より好適な再生環境を提供できない）虞がある。
【００１３】
この発明の目的は、受信側機器から、受信側機器が再生可能な音声再生条件である受信仕様を取得し、取得した受信仕様に基いて、コンテンツプロバイダ等において追加された上位の音声ストリーム等を取得し、ユーザーの再生環境に適していると考えられるデータを、ユーザーに、特別な設定操作を要求することなく提供可能とする映像音声再生装置を提供することである。
【課題を解決するための手段】
【００１４】
・・・データサーバーから音声ストリームを取得し、信号処理することは同じであるが、ユーザーの環境に適しているであろうと考えられるデータに優先順位をつけてリスト表示させ、リストからユーザーに音声ストリームを選択してもらうことに違いがある・・・
この発明は、上記問題点に基づきなされたもので、媒体を介して供給される映像及びオーディオ信号を読み出す再生装置と、この再生装置により読み出された映像及びオーディオ信号をデコードするデコーダーと、このデコーダーによりデコードされた映像及びオーディオ信号のうちの少なくともオーディオ信号をオーディオ出力として出力可能な受信側機器が接続されていること及び接続されている受信側機器のオーディオ再生能力を検出可能なメディアインターフェースと、このメディアインターフェースにより検出された受信側機器のオーディオ再生能力に基いて、媒体に収容されているコンテンツよりもクォリティの高いオーディオストリームが存在するか否かをチェックするストリーム検出装置と、このストリーム検出装置により、媒体に収容されているコンテンツよりもクォリティの高いオーディオストリームが存在することが検出された場合に、媒体に収容されているコンテンツよりもクォリティの高いオーディオストリームが存在することを、受信側機器に表示可能に表示出力を出力する表示出力装置と、この表示出力装置により受信側機器に表示出力を出力させるために、前記ストリーム検出装置により検出したストリームと前記メディアインターフェースにより取得した受信側機器のオーディオ再生能力とを比較し、表示出力のためのリスト（表示情報）を生成するデータ制御装置と、を有する映像音声再生装置である。
【発明の効果】
【００１５】
この発明の実施の形態の１つによれば、データサーバーから音声ストリームを取得し、ユーザーの再生環境に適しているであろうと考えられるデータに優先順位をつけてリスト表示させ、ユーザーに、再生（出力）する音声ストリームを選択させることにより、受信側仕様に対した形態の信号を出力（再生）できる可能性が高められる。
【００１６】
また、ＨＤＭＩのＥＤＩＤを取得し、ＨＤＭＩ（接続の）出力機器に出力すべきビットストリームやＰＣＭ、ダウンミックス２ｃｈあるいはマルチチャンネルの切り換え、というさまざまなコンテンツ再生方法において、ディスクに収録されている音声ストリーム以外の追加されているオーディオ（音声ストリーム）の取得や、ユーザーが用意したプレーヤー装置を使用する際の初期設定の要素とプレーヤー装置のスペック要素のうちの音声出力の切換を、ユーザーが選択可能であることにより、ＥＤＩＤから取得した情報よりも、より確度の高い音声選択（ハイクオリティの音声（オーディオ）再生）をユーザーに提供できる。
【発明を実施するための最良の形態】
【００１７】
以下、図面を参照して、本発明の実施の形態の一例について説明する。
【００１８】
図１は、この発明の実施の形態の一例が適用可能な映像音声再生装置（プレーヤー装置）の概略ブロック図を示す。なお、本発明による映像音声再生装置は、プレーヤー装置に限定されるものではなく、映像及び音声が記録可能なレコーダ装置やビデオカメラ等も含まれる。もちろん、パーソナルコンピュータ（ＰＣ）もしくはＰＣに接続可能なディスクドライブ装置、あるいは自動車等に搭載されるナビゲーション装置であってもよいことはいうまでもない。また、映像音声再生装置は、接続されるＴＶ（テレビジョン）受信機やＴＶ放送等を表示可能なモニタ装置、もしくはＡＶ（Ａｕｄｉｏ−Ｖｉｄｅｏ）アンプ（コントローラー）すなわち受信側装置に対しては、信号伝送装置（送信装置）としての機能を提供することから、単に送信装置（または送受信装置）と呼ばれることもある。
【００１９】
図１に示す映像音声再生装置１は、光ディスクに代表される記録媒体、例えばＨＤ規格のＤＶＤディスク（Ｈｉｇｈ  Ｄｅｆｉｎｉｔｉｏｎ  Ｄｉｇｉｔａｌ  Ｖｅｒｓａｔｉｌｅ  Ｄｉｓｃ，以下ＨＤ  ＤＶＤと略称する）Ｍから、多重化されている情報（データ）を読み出すディスクドライブ装置３、ディスクドライブ装置３により読み出された多重化されている情報を、映像（画像）系信号と音声（オーディオ）系信号に分離するＤＥＭＵＸ処理部すなわちＤＳＰ（Ｄｉｇｉｔａｌ  Ｓｉｇｎａｌ  Ｐｒｏｃｅｓｓｏｒ）５、ＤＳＰ５により分離された映像（画像）信号をデコードするビデオデコーダー（Ｖｉｄｅｏ  Ｄｅｃｏｄｅｒ）７、音声（オーディオ）信号をデコードするオーディオデコーダー（Ａｕｄｉｏ  Ｄｅｃｏｄｅｒ）９を、少なくとも、含む。
【００２０】
オーディオデコーダー９とＤＳＰ５との間には、セレクター（Ｓｅｌｅｃｔｏｒ）１１が設けられ、光ディスクＭからＤＳＰ５を介して読み出されたデータと独立して、例えばＬＡＮ（Ｌｏｃａｌ  Ａｒｅａ  Ｎｅｔｗｏｒｋ）または通信回線等を開始してデータを取得可能なＬＡＮコントローラー（Ｃｏｎｔｒｏｌｌｅｒ）あるいはモデム（Ｍｏｄｅｍ）１３、並びに内部記憶装置（Ｐｅｒｓｉｓｔｅｎｔ  Ｓｔｏｒａｇｅ，以下、Ｐ−ストレージと呼称する）１５等が、データ供給元／データ保持部として、用意されている。なお、Ｐ−ストレージ１５としては、例えばハードディスクドライブ（ＨＤＤ）や不揮発性メモリである半導体メモリ、例えばフラッシュメモリやメモリカード等が利用可能である。
【００２１】
映像音声再生装置１はまた、ビデオデコーダー７によりデコードされた映像（画像）信号を、受信側装置、例えば一般的なＴＶ（テレビ）装置（スピーカー付、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）端子あり）Ａ、例えば液晶ディスプレイあるいはＣＲＴに代表されるモニタ装置（スピーカー付、ＨＤＭＩ端子なし（アナログイン））Ｂ、例えばモニタ装置（スピーカーなし、ＨＤＭＩ端子あり）Ｃにおいて表示可能に、また、オーディオデコーダー９によりデコードされた音声（オーディオ）信号を、ＴＶテレビ装置Ａ、モニタ装置ＣあるいはＡＶアンプ（ＨＤＭＩ端子あり、デジタル入力端子あり、後段にスピーカーが接続される）Ｎのそれぞれに、出力するＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）送信部（Ｔｘ（プレーヤー装置側インターフェース））２１を含む。なお、ビデオデコーダー７によりデコードされた映像（画像）信号は、ＨＤＭＩ送信部２１と独立に設けられるビデオＤ−Ａコンバータ２３を経由して、非ＨＤＭＩ対応の、例えばモニタ装置Ｂ（アナログイン）にも供給されることはいうまでもない。
【００２２】
オーディオデコーダー９によりデコードされた音声（オーディオ）信号は、ＴＶ装置Ａ及びＡＶアンプＮの詳述しないが、それぞれの受信側装置のインターフェース（ＨＤＭＩ（Ｒｘ））のそれぞれに、ＨＤＭＩ送信部（Ｔｘ）２１から供給される。なお、オーディオデコーダー９によりデコードされた音声（オーディオ）信号は、ＨＤＭＩ送信部２１と独立に設けられるオーディオＤ−Ａコンバータ２５を経由して、非ＨＤＭＩ対応のモニタ装置Ｂにも供給されることはいうまでもない。また、ＡＶアンプＮについては、例えばＨＤＭＩ１．３等に代表されるデジタルインターフェース（Ｔｘ）２７から、直接、出力されてもよい。
【００２３】
映像音声再生装置１はさらに、主制御ユニット（ＭＰＵ）３１を含む。ＭＰＵ３１は、詳述しないが、ＣＰＵ（中央制御装置）３３、メインメモリ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ，ＳＤＲＡＭ）３５、及びＯＳＤ（Ｏｎ  Ｓｃｒｅｅｎ  Ｄｉｓｐｌａｙ，オンスクリーンディスプレイ）ユニット３７等を含む。メインメモリ３５は、例えば動画データの展開や表示のための再配置等に用いられるワークメモリとして利用される。また、図示しない操作部からの入力情報の一時的な保持等にも利用される。なお、ＯＳＤユニット３７は、ＨＤＭＩ（Ｔｘ）２１を介して接続されるＴＶ装置Ａ、モニタ装置Ｂ及びモニタ装置Ｃが表示可能に、例えば図示しない操作部による入力（操作情報）や動作状態を示す表示等を１つの画像として表示させるために用いられる。また、セレクター１１の切り換え及びＬＡＮ／モデム１３あるいはＰ−ストレージ（記憶装置）１５の制御についてもＭＰＵ３１に分担されることは、いうまでもない。
【００２４】
なお、図１に示したＨＤＭＩ（Ｔｘ）２１により受信側機器（レシーバー（ＨＤＭＩ（Ｒｘ）））として認識されるスピーカ内蔵のＴＶ装置Ａ、あるいは図示しないスピーカ等と接続されるＡＶアンプＮもしくはモニタ装置ＢまたはＣの検出結果は、ＨＤＭＩ検出、すなわち「ホットプラグ検出」が可能な装置が接続されたこと／既に接続されていることとしてＭＰＵ３１に入力される。また、ＥＤＩＤは、実際には、図示しないＥＤＩＤデコード部においてデコードされることはいうまでもない。また、ＥＤＩＤとして検出可能な情報は、個々の受信側機器が再生（音声出力）可能な音声フォーマットの種別（Ａｕｄｉｏ（オーディオ）情報）や、それぞれの機器が表示（映像出力）可能な解像度（Ｖｉｄｅｏ（ビデオ）情報）に加え、製造者識別（Ｍａｎｕｆａｃｔｕｒｅ  ＩＤ）、製品（製造物）識別（Ｐｒｏｄｕｃｔ  ＩＤ）、製造番号（Ｓｅｒｉａｌ  Ｎｕｍｂｅｒ）なども含まれる。
【００２５】
次に、図１により説明した映像音声再生装置（ＨＤ  ＤＶＤプレーヤー装置）１により、ＨＤ  ＤＶＤディスクＭのコンテンツを再生する方法について説明する。なお、既に説明したが、プレーヤー装置１は、ＨＤ  ＤＶＤディスクＭが発売された以降にコンテンツ供給元が新たに用意したコンテンツ、例えばメイキングビデオや未公開（未収録）映像、ディスクＭには収録されていない言語による音声（オーディオ）等が存在する場合に、ＬＡＮコントローラー／モデム１３により、ネットワークあるいはコンテンツ供給元が用意したサーバーへのアクセスによって新たなコンテンツを取得可能である。また、取得したコンテンツは、Ｐ−ストレージ１５に格納することで、繰り返し再生可能である。なお、コンテンツ供給元が新たに提供（用意）するコンテンツとしては、例えばＨＢＲ（Ｈｉｇｈ−Ｂｉｔｓ  Ｒａｔｅ，ハイビットレート）オーディオと呼ばれる、より音質の高い（高音質の）音声（オーディオ）信号である場合もある。
【００２６】
より詳細には、図１に示したプレーヤー装置１においては、市販されているＨＤ  ＤＶＤディスクＭをディスクドライブユニット３により再生する場合に、ＬＡＮコントローラー／モデム１３を介して、ディスクＭに収容されているコンテンツの供給元（コンテンツ供給元）へのアクセスを推奨するアドレスまたはリンク先情報として用意されたディスクＭの供給元のｗｅｂサイト（コンテンツサーバー）、ならびにディスク供給元が提携する特定の接続先へのアクセスが可能である。すなわち、ＨＤ  ＤＶＤディスクに用意されているディスク供給元のｗｅｂサイトへアクセスすることにより、ディスクＭが発売された後に追加されルことのある上述のＨＢＲや、ディスク購入者への特典として用意されたオリジナルプログラムやディスクには収容されていない別の言語の音声等の付加的なコンテンツを、任意にダウンロードできる。
【００２７】
すなわち、図１に示したプレーヤー装置１では、セレクター１１が好適に選択される（切り換えられる）ことにより、    
［ａ］ディスクＭに収容されている音声（オーディオ信号）    
［ｂ］コンテンツサーバー等からダウンロードした音声（オーディオ信号）    
［ｃ］Ｐ−ストレージ（記憶装置）に保持されている音声（オーディオ信号）    
を、ユーザーの選択により、任意に再生可能である。
【００２８】
次に、オーディオ（音声）信号を再生する例を、図２により、より具体的に説明する。
【００２９】
図２に示すように、オーディオデコーダー９に入力されるオーディオストリームは、その種類（上述の［ａ］，［ｂ］，［ｃ］の音声（オーディオ信号）の供給元）に基づき、    
［ア］ＨＤＭＩ１．３ビットストリーム変換（Ｂｉｔ  ｓｔｒｅａｍ  ｃｏｎｖｅｒｓｉｏｎ）    
［イ］ビットストリームスルー（Ｂｉｔ  ｓｔｒｅａｍ  ｔｈｒｏｕｇｈ  ｏｕｔ）    
［ウ］マルチチャンネルデコーダー（Ｍｕｌｔｉ  ｃｈａｎｎｅｌ  ｄｅｃｏｄｅｒ）    
［エ］ダウンミックス２ｃｈデコーダー（Ｄｏｗｎ  ｍｉｘ  ２−ｃｈ  ｄｅｃｏｄｅｒ）    
により、デコード（Ｄｅｃｏｄｅ）／スルーアウト（Ｔｈｒｏｕｇｈ  ｏｕｔ）される。
【００３０】
すなわち、受信側装置の再生能力が、    
［１］ＨＤＭＩである場合には、［ア］ＨＤＭＩ１．３を、    
［２］ＨＤＭＩ／ＤＩＴ（Ｄｉｇｉｔａｌ  Ｉｎｔｅｒｆａｃｅ  Ｔｘ，ＩＥＣ６０９５８  ｄｅｃｏｄｅｒ）」である場合には、［イ］ビットストリームスルーを、    
［３］オーディオＤＡＣ（Ｄｉｇｉｔａｌ  Ａｎａｌｏｇ  Ｃｏｎｖｅｒｔｅｒ）／ＨＤＭＩである場合には、［ウ］マルチチャンネルデコーダーを、    
［４］オーディオＤＡＣ／ＨＤＭＩ／ＤＩＴである場合には、［エ］ダウンミックス２ｃｈデコーダーを、    
それぞれ、適合（選択）させることができる。
【００３１】
一方、プレーヤー装置１が出力可能な能力（インターフェース）が、図３に示すように、    
［５］ＤＩＴである場合には、［オ］ビットストリームスルーまたはダウンミックス２ｃｈデコーダーを用い、デジタルオーディオアウト（Ｄｉｇｉｔａｌ  Ａｕｄｉｏ  Ｏｕｔ，デジタル信号のまま出力させること）が可能である。
【００３２】
また、プレーヤー装置１が出力可能な能力（インターフェース）が、オーディオＤＡＣ（Ｄｉｇｉｔａｌ  Ａｎａｌｏｇ  Ｃｏｎｖｅｒｔｅｒ）である場合には、図４に示すように、オーディオＤＡＣの能力に応じ、    
［６］Ｎ−ｃｈ（マルチ（ｎ）チャンネル）である場合は、［カ］マルチチャンネル（Ｍｕｌｔｉ  ｃｈａｎｎｅｌ）により、    
［７］２−ｃｈ（２チャンネル（Ｒｉｇｈｔ，Ｌｅｆｔ）である場合には、［キ］ＤＭ  ２ｃｈ（Ｄｏｗｎ  ｍｉｘ  ２−ｃｈ）により、    
それぞれ、アナログに変換された音声（オーディオ信号）を出力させることができる。
【００３３】
一方、プレーヤー装置１が出力可能な能力（インターフェース）が、ＨＤＭＩ（Ｔｘ）である場合には、図５に示すように、    
［８］受信側装置の再生能力に応じて選択されるため、［カ］マルチチャンネル、及び［キ］ＤＭ  ２ｃｈ、に加え、［イ］ビットストリームスルー、及び［ア］ＨＤＭＩ１．３    
のいずれかにより、デジタルまたはアナログのオーディオ（音声）信号を出力させることができる。
【００３４】
ところで、プレーヤー装置１においては、ＬＡＮ／モデム１３を介して、コンテンツ供給元のファイルサーバー（コンテンツサーバー）から、追加の音声ストリームを取得できることは、既に説明した通りである。なお、取得（ダウンロード）した音声ストリーム（オーディオ信号）は、図６に概略を示すが、例えばＰ−ストレージ１５すなわち内部の記憶装置（ＨＤＤ、フラッシュメモリ、メモリカード）や、詳述しないが外部記憶装置として用意される外付けＨＤＤ、ＤＶＤ、もしくはＵＳＢメモリ等に、所定のタイミングで記憶される。また、記憶された音声ストリーム（オーディオ信号）は、ユーザーの要求によりセレクター１１が切り換えられることにより、受信側装置、すなわちユーザーが用意した出力装置の再生能力に合わせて、出力される。
【００３５】
図７は、図１に示したプレーヤー装置において、音声ストリーム（オーディオ信号）出力モードを切り換えるための手順の一例を示すフローチャートである。
【００３６】
図７に示す通り、例えばデフォルト（初期設定）として、「言語」／「ＨＤＭＩ音声設定」／「ＨＤＭＩ映像優先・音声優先」等が設定されている状態（Ｓ１）において、ユーザーにより再生（ｐｌａｙ）が指示される（Ｓ２）と、ＨＤＭＩを介して接続されている受信側装置（レシーバー機器）、すなわち図１に示したＴＶ装置Ａ、モニタ装置Ｂ、モニタ装置Ｃ及びＡＶアンプＮ等からＥＤＩＤ（Ｅｘｔｅｎｄｅｄ  Ｄｉｓｐｌａｙ  Ｉｄｅｎｔｉｆｉｃａｔｉｏｎ  Ｄａｔａ）が取得される（Ｓ３）。
【００３７】
ステップＳ３において、それぞれのレシーバー機器が受信できるオーディオストリーム情報が取得できた場合（Ｓ３−ＹＥＳ）、ネットワーク（ＬＡＮコントローラー／モデム１３）が接続されていることがチェックされ、コンテンツプロバイダ（コンテンツ供給元）のファイルサーバー（ＦＳ（コンテンツサーバー）図６参照）から追加音声ストリーム情報が取得される（Ｓ４）。
【００３８】
ステップＳ４において、ステップＳ３で取得された（各レシーバー機器の）ＥＤＩＤと照らし合わせ、ディスクＭに収録されているオーディオストリームより最適な（追加の／高音質の）音声ストリームがファイルサーバー上に存在する場合ことが検出された場合、Ｐ−ストレージ１５または図示しない外部記憶装置に、その存在が記憶される（Ｓ４−ＹＥＳ）。
【００３９】
ステップＳ４−ＹＥＳにおいて取得され、格納された（追加の／高音質の）オーディオストリームが存在することの情報は、図９または図１０を用いて後段に説明するサブルーチン（［Ｉ］または［ＩＩ］）により、ディスクＭに既に収録されているストリームの情報とともに、図８に一例を示すように、ＯＳＤ表示（Ｓ５）される。なお、ステップＳ４−ＹＥＳにおいて（追加の／高音質の）オーディオストリームが存在すること、あるいは最適なストリームが存在することが取得できない場合、ＯＳＤ情報としては、ユーザーに「初期設定の確認」すなわち、希望する音声言語を再設定するよう促すメッセージが表示され、初期設定画面に戻される（Ｓ６−ＹＥＳ）。
【００４０】
ステップＳ５においてＯＳＤ表示された（追加の／高音質の）オーディオストリーム、あるいはディスクＭに当初から収録されているストリームのいずれか、例えばディスクＭに収録されているか過去にダウンロードされたストリームが選択された場合（Ｓ７−ＹＥＳ）、ディスクＭに収録されている映像コンテンツに合わせて、選択されたオーディオストリームが再生される（Ｓ８）。
【００４１】
一方、ステップＳ５においてＯＳＤ表示されたストリーム、あるいはディスクＭに当初から収録されているストリームのいずれか、例えばＦＳ（ファイルサーバー）に存在するオーディオストリームが選択された場合（Ｓ７−ＮＯ）、ディスクＭに収録されている映像コンテンツに合わせて、オーディオストリームがファイルサーバーから順次ダウンロードされながら、オーディオストリームが再生される（Ｓ９，Ｓ８）。
【００４２】
なお、ネットワーク（ＬＡＮコントローラー／モデム１３）を利用して音声ストリームを取得する場合、通信速度の関係からリアルタイムな再生ができない場合がある。この際、予めファイルサーバー（ＦＳ）から音声ストリームを取得し、Ｐ−ストレージ１５（内部記憶装置）や図示しない外部記憶装置に記憶させることにより、この問題が解決できる。また、同一のディスクＭのコンテンツを複数回再生する場合、その都度ストリームをダウンロードすることは、通信費やストリーム（データ）の取得に要求されることのある課金（有料コンテンツの場合）等である取得コストを増大させることになるため、ダウンロードにより取得したコンテンツ（ストリーム）は、通常、例えばＰ−ストレージ１５に保存される。
【００４３】
なお、ディスクＭが追記可能である場合には、ダウンロードにより取得したコンテンツが、現在コンテンツが再生されているディスクＭに保存（格納）されてもよい。この場合には、（追加の／高音質の）ストリームを、ダウンロードに用いたプレーヤー装置以外の装置においても、ネットワークの接続なしで、追加音声ストリームを再生できる。また、上述した課金（取得コスト）の問題も解消できる。
【００４４】
一方、ステップＳ３において、ＥＤＩＤが取得できない場合（Ｓ３−ＮＯ）、レシーバー機器は、ＨＤＭＩ対応ではないため、アナログオーディオ出力（ＤＩＴの場合はデジタル出力）が出力される（Ｓ１０）。
【００４５】
また、ステップＳ４において、ＦＳ（ファイルサーバー）／ＳＤ（Ｐ−ストレージ）に追加オーディオストーリムが存在しないことがチェックされた場合（Ｓ４−ＮＯ）、再生しようとしているディスクＭに収録（記録）されているオーディオストリームが再生候補として取得され（Ｓ１１）、図９または図１０に示すサブルーチン（［Ｉ］または［ＩＩ］）により、ディスクＭに既に収録されているストリームのうちの選択可能なストリームがＯＳＤ表示される（Ｓ１２）。以下、ユーザーにより選択された（Ｓ１３）ストリームがディスクＭに収録されている映像コンテンツとともに再生される（Ｓ８）。
【００４６】
図８は、図７に示したＯＳＤ表示の一例を示す。
【００４７】
すなわち、図７のステップＳ５において、ユーザーが選択可能なオーディオ出力モードが１つ以上（この例では「３」）検出できた場合には、プレーヤー装置１に接続されているＴＶ装置Ａ、モニタ装置Ｂ及びモニタ装置Ｃのそれぞれ（実際には現在接続されている装置）に、ＯＳＤにより、例えば    
『サーチの結果以下の音声が再生可能です。選択してください』    
＜１＞    Ｄｏｌｂｙ  Ｄｉｇｉｔａｌ  Ｐｌｕｓ  （ＤＤ＋）    
５．１ｃｈ（サラウンド）    
日本語    
解像度：指定なし    
取得場所：ファイルサーバー    
＜２＞    Ｄｏｌｂｙ  ＴｒｕｅＨＤ    
６ｃｈ    
日本語    
解像度：７２０ｐ／１０８０ｉ／１０８０ｐ    
取得場所：ディスク    
＜３＞    Ｌ−ＰＣＭ（Ｌｉｎｅａｒ  ＰＣＭ）    
９６ｋＨｚ／６ｃｈ    
英語    
解像度：７２０ｐ／１０８０ｉ／１０８０ｐ    
取得場所：内蔵メモリ    
等が表示される。
【００４８】
以下、ユーザーにより、図示しないリモコン端末等により、オーディオ出力が選択（指定）されることで、ユーザーの希望するオーディオ出力（ストリーム）が、（ユーザーの用意した）オーディオ出力装置（受信側機器）において再生される。
【００４９】
図９は、ＨＤＭＩにより取得したＥＤＩＤに基いて、音声（オーディオ）ストリームの優先順位を特定する方法の一例（要素１、すなわち図７に示したサブルーチン［Ｉ］）を示す。
【００５０】
ＥＤＩＤとしては、例えば    
チャンネル数    
サンプリング周波数（ｆｓ）    
オーディオデコーダー    
映像解像度（※）    解像度により音声の最大転送チャンネル数が変化    
等がある。
【００５１】
また、受信側機器のスペック（オーディオ出力能力）としては、    
チャンネル数    
サンプリング周波数（ｆｓ）    
オーディオデコーダー    
映像解像度（※）    解像度により音声の最大転送チャンネル数が変化    
等がある。
【００５２】
従って、上記ＥＤＩＤと受信側機器のスペックから    
チャンネル数    
サンプリング周波数（ｆｓ）    
ストリームの種類（Ｄｏｌｂｙ／ＤＴＳなど）    
音声ストリーム更新日時    
等を判定要素として、音声ストリームを選択し、    
選択した音声ストリームから、ユーザー設定により、
更に絞り込むことができる。
【００５３】
なお、ユーザー設定としては、    
言語    
視聴制限    
等がある。
【００５４】
これらから、例えば「優先度の高い音声ストリーム順」に、ＯＳＤによりリストを表示させ、以下、ユーザーからの「要素の各項目に優先度を設定（５（優先度大）・４・３・２・１（優先度小）」等に代表される『重み付け』を利用して、ピックアップした音声ストリームについて、『各項目の優先度の総和』を取得する。もちろん、ユーザーが独自に『ＨＤＭＩ接続機器リストで優先度を設定（マニュアル設定モード）』や過去に選択した音声ストリームの種類を内部メモリに記憶させておき、例えば優先度が「２」である場合に、「＋１」とするような、表示も可能である。
【００５５】
図１０は、図９に示したユーザー設定における設定例（初期設定でユーザーにＨＤＭＩの優先項目の設定を要求する）の一例（要素２、すなわち図７に示したサブルーチン［ＩＩ］）を示す。
【００５６】
ユーザー設定としては、図１０に示すように、    
ＨＤＭＩ音声設定（自動／ＰＣＭ）    
において、    
自動を選択  →  自動的に音声ストリーム情報を取得    
ＰＣＭを選択  →  Ｌ−ＰＣＭ音声ストリーム情報を優先して取得    
等がある。
【００５７】
また、ＨＤＭＩ映像優先・音声優先    
において、    
映像優先  →  設定されている解像度を優先    
音声優先  →  音声ストリームに合わせて解像度を切り換え    
但し、優先度は、よりハイクオリティな要素を高く設定    
等がある。
【００５８】
なお、優先度としては、一例ではあるものの    
＜チャンネル数の優先度＞    
７．１ｃｈ（優先度５）＞５．１ｃｈ（優先度３）＞２ｃｈ（優先度２）＞１ｃｈ（優先度１）    
＜サンプリング周波数＞    
１９２ｋＨｚ（優先度５）＞９６ｋＨｚ（優先度３）＞４８ｋＨｚ／４４．１ｋＨｚ（優先度１）    
＜オーディオデコーダー＞    
Ｄｏｌｂｙ  Ｄｉｇｉｔａｌ  Ｐｌｕｓ／ＤＴＳ−ＨＤ（優先度５）＞Ｄｏｌｂｙ  Ｄｉｇｉｔａｌ／ＤＴＳ（優先度３）＞Ｌ−ＰＣＭ（優先度１）    
（但しＨＤＭＩ環境設定で「ＰＣＭ」のとき、Ｌ−ＰＣＭのみに優先度をつける）    
＜映像解像度＞    
１０８０ｐ（優先度５）＞１０８０ｉ（優先度４）＞７２０ｐ（優先度３）＞４８０ｐ（優先度２）＞４８０ｉ（優先度１）    
等がある。
【００５９】
これらに基いて、以上を元に、取得した音声ストリーム情報に優先度をつけた結果、図８に示したような、推奨設定が確定される。
【００６０】
以上説明したように、この発明の実施の形態の１つによれば、ＨＤ  ＤＶＤプレーヤーのような映像音声再生装置において、ＨＤＭＩを使用したときに、レシーバー機器のＥＤＩＤを取得して、コンテンツプロバイダのファイルサーバーに追加された音声ストリームデータがある場合、ＥＤＩＤからそれらを選択ダウンロードして自動的に再生することができる。
【００６１】
従って、ＨＤ  ＤＶＤソフトを購入したユーザーは、購入後においてもハイクオリティなオーディオデータあるいは追加されたコンテンツを取得して視聴可能である。すなわち、ＨＤＭＩの受信側機器のＥＤＩＤデータを元に、ネットワーク上等において提供されている追加の（新たな）データ（コンテンツ）を容易に取得できることから、受信側仕様に対した形態の信号を出力（再生）できる可能性が高められる。
【００６２】
また、ＨＤＭＩのＥＤＩＤを取得し、ＨＤＭＩ（接続の）出力機器に出力すべきビットストリームやＰＣＭ、ダウンミックス２ｃｈあるいはマルチチャンネルの切り換え、というさまざまなコンテンツ再生方法において、ディスクに収録されている音声ストリーム以外の追加されているオーディオ（音声ストリーム）の取得や、ユーザーが用意したプレーヤー装置を使用する際の初期設定の要素とプレーヤー装置のスペック要素のうちの音声出力の切換を、ユーザーが選択可能であることにより、ＥＤＩＤから取得した情報よりも、より確度の高い音声選択（ハイクオリティの音声（オーディオ）再生）をユーザーに提供できる。なお、初期設定以外は、無意識的に操作できるため、ユーザーにとっても操作性（使い易さ）の向上等のメリットが得られる。
【００６３】
なお、本発明の内容はここに記述した形態だけに限定されるものではなく、その主旨を逸脱しない範囲で、他にも様々な形態を取り得ることはいうまでもない。また、各実施の形態は、可能な限り適宜組み合わせて、もしくは一部を削除して実施されてもよく、その場合は、組み合わせもしくは削除に起因したさまざまな効果が得られる。
【図面の簡単な説明】
【００６４】
【図１】この発明の実施の形態の一例が適用可能な映像音声再生装置（プレーヤー装置）の一例を示す概略ブロック図。
【図２】図１のプレーヤー装置に組み込まれるオーディオデコーダーと受信側装置の出力との関係を説明する概略図。
【図３】図１のプレーヤー装置に組み込まれるデジタルインターフェースと受信側装置の出力との関係を説明する概略図。
【図４】図１のプレーヤー装置に組み込まれるオーディオＤＡＣ（デジタル−アナログコンバーター）と受信側装置の出力との関係を説明する概略図。
【図５】図１のプレーヤー装置に組み込まれるＨＤＭＩ（送信側）と受信側装置の出力との関係を説明する概略図。
【図６】図１のプレーヤー装置におけるオーディオデコーダーによりコンテンツプロバイダにおいて追加されることのあるオーディオストリームを取得するための構成の一例を示す概略図。
【図７】図１のプレーヤー装置を用い、接続されている受信側機器のオーディオ再生能力に対応させて、追加の（新たな）オーディオストリームを取得する方法の一例を説明するフローチャート。
【図８】図１のプレーヤー装置を用い、ユーザーが選択可能なオーディオ出力モードが検出できた場合、プレーヤー装置に接続されている受信側機器に、オーディオ出力モードの選択（指定）を促すＯＳＤ表示の一例を示す概略図。
【図９】図１のプレーヤー装置を用い、ＨＤＭＩにより取得したＥＤＩＤに基いて、音声（オーディオ）ストリームの優先順位を特定する方法の一例を説明する概略図。
【図１０】図９に示したユーザー設定における設定例（初期設定でユーザーにＨＤＭＩの優先項目の設定を要求する）の一例を説明する概略図。
【符号の説明】
【００６５】
１…映像音声再生装置（プレーヤー装置）、３…ディスクドライブ装置、５…ＤＳＰ（ＤＥＭＵＸ処理部）、７…ビデオデコーダー、９…オーディオデコーダー、１１…セレクター、１３…ＬＡＮコントローラー／モデム、１５…内部記憶装置、２１…ＨＤＭＩ送信部、２３…ビデオＤ−Ａコンバータ、２５…オーディオＤ−Ａコンバータ、２７…デジタルインターフェース（Ｔｘ）、３１…ＭＰＵ（主制御ユニット）、３３…ＣＰＵ（中央制御装置）、３５…メインメモリ（ＳＤＲＡＭ）、３７…ＯＳＤ（オンスクリーンディスプレイユニット）。
【図１】
2008299938.tif 000003
【図２】
2008299938.tif 000004
【図３】
2008299938.tif 000005
【図４】
2008299938.tif 000006
【図５】
2008299938.tif 000007
【図６】
2008299938.tif 000008
【図７】
2008299938.tif 000009
【図８】
2008299938.tif 000010
【図９】
2008299938.tif 000011
【図１０】
2008299938.tif 000012